(57)【要約】【課題】長時間に亘って携帯用電子機器を保持し続ける場合にも使用者の首や肩への負担が少ない携帯用電子機器用保持具の提供。【解決手段】装着者Ｐの腹部、胸部、右肩部、背部まで人体の身体曲線に追従するように湾曲し、背部にて舌状に折り返され、再び左背部から肩部を回って腹部まで人体の身体曲線に追従するように湾曲した形状であって、正面視で略左右対称な形状に構成され、装着者Ｐの胸部と背部とを挟み込む曲線形状の掛着アーム２を備え、掛着アーム２の腹部側である前側端部には、腹部から前方側に略水平に突出するように湾曲した前方突出部２ｅが形成され、前方突出部２ｅの先端部に、携帯用電子機器を脱着自在に取着するアタッチメント３が設けられた構成とした。【選択図】図２
2020096662.tif 000002
【特許請求の範囲】
【請求項１】
装着者の腹部から胸部、右肩部を回って背部まで人体の身体曲線に適合または追従するように湾曲し、背部にて舌状に折り返され、再び左背部から肩部を回って腹部まで人体の身体曲線に適合または追従するように湾曲した形状であって、正面視で略左右対称な形状に構成され、装着者の胸部と背部とを挟み込む曲線形状の掛着アームを備え、
前記掛着アームの腹部側である前側端部には、腹部から前方側に略水平に突出するように湾曲した前方突出部が形成され、
前記前方突出部の先端部に、携帯用電子機器を脱着自在に取着するアタッチメントが設けられたことを特徴とする携帯用電子機器用保持具。
【請求項２】
前記掛着アームは、可塑性の線材の表面を、弾性を有する弾性体によって被覆した線状部材により構成されていることを特徴とする請求項１記載の携帯用電子機器用保持具。
【請求項３】
請求項１又は２に記載の携帯用電子機器用保持具と、
ベストと、を備え、
前記携帯用電子機器用保持具は、右肩部から背部を回って左肩部にかけての部分が前記ベストに止着されていることを特徴とする携帯用電子機器用保持具付ベスト。
【発明の詳細な説明】
【技術分野】
【０００１】
本発明は、ノートパソコンやタブレット等の携帯用電子機器を、ハンドフリーで体の前側に保持するための携帯用電子機器用保持具に関する。
【背景技術】
【０００２】
斯かる携帯用電子機器用保持具としては、特許文献１−１９に記載のものが公知である。これらの公知文献に記載の携帯用電子機器用保持具を大別すると、以下の３つの方式のものに分類することが出来る。
【０００３】
（１）首掛けアーム方式（特許文献１−３）
携帯用電子機器を保持する保持部に、使用者の首に掛着するためのアームを設けた方式（例えば、特許文献１の図１、特許文献２のFig.1，特許文献３のFig.3参照）。
【０００４】
（２）首掛け紐方式（特許文献４−１５）
携帯用電子機器を保持する保持部に、使用者の首に掛着するための掛け紐を設けた方式（例えば、特許文献４の図１、特許文献５の図１、特許文献６の図４、特許文献８の図１、特許文献９のFig.1、特許文献１０のFig.2、特許文献１５の図７等参照）。
【０００５】
（３）襷掛け紐方式（特許文献１６−１９）
携帯用電子機器を保持する保持部に、使用者の首に襷掛けするための掛け紐を設けた方式（例えば、特許文献１７の図１６、特許文献１８の図８、特許文献１９のFig.20等参照）。
【先行技術文献】
【特許文献】
【０００６】
【特許文献１】特開２０１４−１４２８９９号公報
【特許文献２】米国特許公開２０１２０６８０４４号公報
【特許文献３】米国特許公開２０１００２５４４４号公報
【特許文献４】特開平８−６３２５６号公報
【特許文献５】実用新案登録第３１９８２４３号公報
【特許文献６】特開２０１５−１１６９４号公報
【特許文献７】特表２００７−５１４２１３号公報
【特許文献８】特開２００４−３４８４４０号公報
【特許文献９】米国特許公開２０１３１８７０２４号公報
【特許文献１０】国際公開第２０１１−０１０２０３号公報
【特許文献１１】米国特許公開２００８１２１７３０号公報
【特許文献１２】米国特許第６００６９７０号明細書
【特許文献１３】米国特許公開２０１３２２１０４８号公報
【特許文献１４】米国特許第６３８１１２７号明細書
【特許文献１５】実用新案登録第３１８００３６号公報
【特許文献１６】実用新案登録第３１７１２４１号公報
【特許文献１７】特開２０１６−４９２６８号公報
【特許文献１８】特許第５６３９７２３号明細書
【特許文献１９】米国特許公開２０１２１７５３９６号公報
【発明の概要】
【発明が解決しようとする課題】
【０００７】
然し乍ら、首掛けアーム方式や首掛け紐方式では、保持部に保持された携帯用電子機器の重量負荷の大半は首にかかることになるため、長時間に亘って携帯用電子機器を保持し続けると、肩や首の後ろが圧迫されて圧痛を生じるという問題がある。襷掛け紐方式の場合も同様に、携帯用電子機器の重量負荷の大半は片側の肩に加わることになるため、長時間に亘って携帯用電子機器を保持し続けると、肩が圧迫されて圧痛を生じるという問題がある。
【０００８】
また、首掛けアーム方式、首掛け紐方式、及び襷掛け紐方式では、使用者が直立した状態にあるときはよいが、使用者が前屈みの姿勢となった場合には、保持部に保持された携帯用電子機器が使用者の体躯から離れて揺曳する。従って、誤って前屈みの姿勢となった際に携帯用電子機器を周辺物に打ち当てるといった事故が生じる恐れがあるという問題がある。
【０００９】
そこで、本発明の目的は、長時間に亘って携帯用電子機器を保持し続ける場合にも使用者の首や肩への負担が少なく、使用者が前屈みの姿勢となった場合に携帯用電子機器が使用者の体躯から離れて揺曳することを防止できる携帯用電子機器用保持具を提供することにある。
【課題を解決するための手段】
【００１０】
本発明の携帯用電子機器用保持具の第１の構成は、装着者の腹部から胸部、右肩部を回って背部まで人体の身体曲線に適合または追従するように湾曲し、背部にて舌状に湾曲して折り返され、再び左背部から肩部を回って腹部まで人体の身体曲線に適合または追従するように湾曲した形状であって、正面視で略左右対称な形状に構成され、装着者の胸部と背部とを挟み込む曲線形状の掛着アームを備え、
前記掛着アームの腹部側である前側端部には、腹部から前方側に略水平に突出するように湾曲した前方突出部が形成され、
前記前方突出部の先端部に、携帯用電子機器を脱着自在に取着するアタッチメントが設けられたことを特徴とする。
【００１１】
この構成によれば、装着者が携帯用電子機器用保持具を装着した場合、掛着アームが装着者の胸部と背部とを挟み込む状態となる。従って、アタッチメントに携帯用電子機器を装着した場合、携帯用電子機器の重量負荷は装着者の肩に集中せず、胸部や背中にかけて全体的に分散される。これにより、携帯用電子機器を取着した携帯用電子機器用保持具を装着した装着者が、携帯用電子機器の重量負荷により肩が圧迫されて圧痛を生じることが防止される。また、掛着アームが装着者の胸部と背部とを挟み込む状態となるので、携帯用電子機器を取着した状態で装着者が前屈みの姿勢となった場合、携帯用電子機器が装着者の体躯から離れて揺曳するようなことが防止される。従って、誤って前屈みの姿勢となった際に携帯用電子機器を周辺物に打ち当てるといった事故を防止することができる。
【００１２】
ここで、掛着アームを構成する部材には、重力以外の外力が加わっていない状態において一定の形状を保持でき、かつアタッチメントに携帯用電子機器を装着した際に前方突出部が略水平の状態を維持できる程度の曲げ剛性を有する部材が使用される。例えば、アルミ、マグネシウム合金、鉄パイプ、ステンレスパイプ、曲げ剛性の大きい合成樹脂等である。
【００１３】
本発明の携帯用電子機器用保持具の第２の構成は、前記第１の構成において、前記掛着アームは、可塑性の線材の表面を、弾性を有する弾性体によって被覆した線状部材により構成されていることを特徴とする。
【００１４】
このように、可塑性の線材を使用することにより、装着者の体型（胸部、右肩部を回って背部まで人体の身体曲線）に合わせて掛着アームの、胸側に対する背側の舌状湾曲部分の開き具合を調整し、装着者の体型にフィットさせることが可能となる。
【００１５】
本発明の携帯用電子機器用保持具付ベストは、前記第１又は２の構成の携帯用電子機器用保持具と、
ベストと、を備え、
前記携帯用電子機器用保持具は、右肩部から背部を回って左肩部にかけての部分が前記ベストに止着されていることを特徴とする。
【００１６】
このように、携帯用電子機器用保持具をベストに止着しておくことで、携帯用電子機器用保持具が装着者の肩からズレたり傾いたりすることを防止できる。ここで、「止着」の仕方としては、例えば、ベストの肩部に通孔を設けて携帯用電子機器用保持具の右肩部から背部を回って左肩部にかけての部分を該通孔に通して止着する方法や、携帯用電子機器用保持具の右肩部から背部を回って左肩部にかけての部分をベストに縫着する方法などを採ることが出来る。
【発明の効果】
【００１７】
以上のように、本発明の携帯用電子機器用保持具によれば、装着者が携帯用電子機器用保持具を用いて携帯用電子機器を体に装着した場合、携帯用電子機器の重量負荷は装着者の肩に集中せず、胸部や背中にかけて全体的に分散されるので、携帯用電子機器を取着した携帯用電子機器用保持具を装着した装着者が、携帯用電子機器の重量負荷により肩が圧迫されて圧痛を生じることが防止される。また、掛着アームが装着者の胸部と背部とを挟み込む状態となるので、携帯用電子機器を取着した状態で装着者が前屈みの姿勢となった場合、携帯用電子機器が装着者の体躯から離れて揺曳するようなことが防止され、誤って前屈みの姿勢となった際に携帯用電子機器を周辺物に打ち当てるといった事故を防止することができる。
【図面の簡単な説明】
【００１８】
【図１】本発明の実施例１に係る携帯用電子機器用保持具１の斜視図である。
【図２】実施例１に係る携帯用電子機器用保持具１を装着者Ｐが装着した状態を示す側面図である。
【図３】実施例１に係る携帯用電子機器用保持具１を装着者Ｐが装着した状態を示す正面図である。
【図４】実施例１に係る携帯用電子機器用保持具１を装着者Ｐが装着した状態を示す背面図である。
【図５】実施例１に係る携帯用電子機器用保持具１に携帯用電子機器を装着した斜視図である。
【図６】携帯用電子機器用保持具１の装着者Ｐが前屈みの姿勢となった状態を示す図である。
【図７】図１の（ａ）掛着アーム２を構成する線材の断面図、及び（ｂ）アタッチメント３の拡大図である。
【図８】本発明の実施例２に係る携帯用電子機器用保持具付ベストの（ａ）側面図及び（ｂ）背面図である。
【発明を実施するための形態】
【００１９】
以下、本発明を実施するための形態について、図面を参照しながら説明する。
【実施例１】
【００２０】
図１は、本発明の実施例１に係る携帯用電子機器用保持具１の斜視図である。携帯用電子機器用保持具１は、装着者の腹部から胸部、肩部を回って背部までの範囲で装着者の身体に掛着される掛着アーム２と、掛着アーム２の前側の先端部に装着された、携帯用電子機器を脱着自在に取着するアタッチメント３を備えている。掛着アーム２は、装着者の腹部から胸部、右肩部を回って背部まで人体の身体曲線に適合または追従するように湾曲し、背部にて舌状に湾曲して折り返され、再び左背部から肩部を回って腹部まで人体の身体曲線に適合または追従するように湾曲した形状であって、正面視で略左右対称な形状に構成され、装着者の胸部と背部とを挟み込む曲線形状に形成されている。装着者が携帯用電子機器用保持具１を装着したとき、装着者の前側の肩から腹部にかけての範囲に位置する掛着アーム２の部分を前部緩湾曲部２ａ、装着者の肩部に当たる部分を上部肩当部２ｂ、装着者の肩部から背部にかけて延出し舌状に湾曲して折り返された背側の延出部分を背側舌状延出部２ｃ、前部緩湾曲部２ａの下端で前方に向けて略直角向きに反曲した部分を下端側反曲部２ｄ、下端側反曲部２ｄから前方に突き出た部分を前方突出部２ｅ、前方突出部２ｅの先端において上方に向かって反曲した部分を反曲端部２ｆと呼ぶ。アタッチメント３は、掛着アーム２の反曲端部２ｆに設けられている。
【００２１】
本実施例では、背側舌状延出部２ｃは、バスタブ曲線状（図４参照）としているが、背側舌状延出部２ｃの形状については、これに限らず、円弧状、楕円弧状、凵字状、Ｖ字状などを採ることも出来る。
【００２２】
図２は携帯用電子機器用保持具１を装着者Ｐが装着した状態を示す側面図、図３は携帯用電子機器用保持具１を装着者Ｐが装着した状態を示す正面図、図４は携帯用電子機器用保持具１を装着者Ｐが装着した状態を示す背面図である。装着者Ｐが携帯用電子機器用保持具１を装着する場合、掛着アーム２を装着者Ｐの頭上から被せるようにして装着し、掛着アーム２の前部緩湾曲部２ａと背側舌状延出部２ｃとで装着者Ｐの胸と背を挟み込むようにして装着する。このとき、掛着アーム２の上部肩当部２ｂは装着者Ｐの肩に当接する。掛着アーム２の下端のアタッチメント３に携帯用電子機器４を装着する。掛着アーム２は、装着者Ｐの胸から肩を回り背部までの領域に亘って装着者Ｐに緩く当接した状態となる。従って、携帯用電子機器４の重量負荷は、広い領域に亘って装着者Ｐの上半身に加わるので、携帯用電子機器４の重量負荷は装着者の肩に集中せず、胸部や背中にかけて全体的に分散される。これにより、携帯用電子機器４を取着した携帯用電子機器用保持具１を装着した装着者Ｐが、携帯用電子機器４の重量負荷により肩が圧迫されて圧痛を生じることが防止される。
【００２３】
図５は実施例１に係る携帯用電子機器用保持具１に携帯用電子機器を装着した斜視図である。携帯用電子機器用保持具１に携帯用電子機器５を装着する場合には、アタッチメント３に雲台４を取り付け、雲台４に携帯用電子機器５を装着する。
【００２４】
装着者Ｐがこの携帯用電子機器用保持具１を装着した場合、装着者Ｐの胸部と背部を掛着アーム２の前部緩湾曲部２ａと背側舌状延出部２ｃが挟み込む状態となる。従って、アタッチメント３に携帯用電子機器５を装着した場合には、携帯用電子機器５の重量負荷は装着者Ｐの肩に集中せず、胸部や背中にかけて全体的に分散される。これにより、携帯用電子機器５を取着した携帯用電子機器用保持具１を装着した装着者Ｐが、携帯用電子機器５の重量負荷により肩が圧迫されて圧痛を生じることが防止される。
【００２５】
図６は、携帯用電子機器用保持具１の装着者Ｐが前屈みの姿勢となった状態を示す図である。このように装着者Ｐが前屈みの状態においても、掛着アーム２は、前部緩湾曲部２ａと背側舌状延出部２ｃとで装着者Ｐの胸と背を挟み込むため、携帯用電子機器用保持具１が装着者Ｐの体躯から離れて揺曳することはない。従って、誤って前屈みの姿勢となった際に携帯用電子機器４が揺曳し携帯用電子機器４を周辺物に打ち当てるといった事故を防止することができる。
【００２６】
図７は、図１の（ａ）掛着アーム２を構成する線材の断面図、及び（ｂ）アタッチメント３の拡大図である。掛着アーム２を構成する線材は、可塑性線材２ｇの表面を、弾性体被覆２ｈによって被覆した線状部材により構成されている。可塑性線材２ｇには、アルミ等の可塑性の材料を使用することが出来る。また、弾性体被覆２ｈには、弾性を有する樹脂やゴム等のエラストマーを使用することができる。
【００２７】
このように、掛着アーム２を構成する線材に可塑性の線材を使用することにより、装着者Ｐの胸部から右肩部を回って背部まで身体曲線に合わせて掛着アーム２の、前部緩湾曲部２ａと背側舌状延出部２ｃとの間の開き具合を調整し、装着者の体型に容易にフィットさせることが可能となる。これにより、携帯用電子機器用保持具１が揺曳することをより確実に防止できる。
【００２８】
また、アタッチメント３は、図７（ｂ）に示すように、半円筒の雲台軸挟着部３ａと、雲台軸挟着部３ａの左右両側には、アタッチメント３を掛着アーム２に固定する円筒形の固定筒３ｂ，３ｂが、雲台軸挟着部３ａと平行に連設されている。掛着アーム２の反曲端部２ｆ，２ｆは、固定筒３ｂ，３ｂ内に挿着され固定されている。図５に示した様に、雲台軸挟着部３ａの半筒内に雲台４の雲台軸を嵌着して、雲台４を雲台軸挟着部３ａに取り付ける。雲台軸挟着部３ａは樹脂等の弾性部材で形成されており、その弾性によって雲台軸を挟み込んで保持する。雲台軸は雲台軸挟着部３ａに対して回転可能である。
【００２９】
なお、本発明においては、アタッチメント３の構成については、雲台４の形状に応じて適宜変更することが出来る。
【実施例２】
【００３０】
図８は、本発明の実施例２に係る携帯用電子機器用保持具付ベストの（ａ）側面図及び（ｂ）背面図である。図８において、携帯用電子機器用保持具１は、実施例１と同様の物である。また、ベスト６は、前開き型のベストである。携帯用電子機器用保持具１は、右肩部から背部を回って左肩部にかけての部分（上部肩当部２ｂから背側舌状延出部２ｃにかけての部分）である止着部７がベスト６に止着されている。
【００３１】
このように、携帯用電子機器用保持具１をベスト６に止着しておくことで、携帯用電子機器用保持具１が装着者Ｐの肩からズレたり傾いたりすることを防止できる。
【符号の説明】
【００３２】
１  携帯用電子機器用保持具
２  掛着アーム
２ａ  前部緩湾曲部
２ｂ  上部肩当部
２ｃ  背側舌状延出部
２ｄ  下端側反曲部
２ｅ  前方突出部
２ｆ  反曲端部
２ｇ  可塑性線材
２ｈ  弾性体被覆
３  アタッチメント
３ａ  雲台軸挟着部
３ｂ  固定筒
４  雲台
５  携帯用電子機器
６  ベスト
７  止着部
【図１】
2020096662.tif 000003
【図２】
2020096662.tif 000004
【図３】
2020096662.tif 000005
【図４】
2020096662.tif 000006
【図５】
2020096662.tif 000007
【図６】
2020096662.tif 000008
【図７】
2020096662.tif 000009
【図８】
2020096662.tif 000010